(57)【特許請求の範囲】
【請求項１】
レンズを備えた移動体と、該移動体を前記レンズの光軸方向に移動可能に保持する固定体とを有し、駆動マグネットと駆動コイルとの磁気駆動力により前記移動体を前記レンズの光軸方向における第１のレンズ保持位置と第２のレンズ保持位置との間で移動させるように構成したレンズ駆動装置において、
前記移動体は、前記駆動マグネットを備えており、
前記固定体は、前記移動体を光軸方向に移動可能に支持するバネ部材と、前記光軸方向で離間した位置に配置された第１および第２の磁性片とを備えており、
前記バネ部材は、前記移動体が常に前記第１のレンズ保持位置から前記第２のレンズ保持位置へ向かうように付勢力を作用させており、
前記バネ部材の付勢力は、前記移動体の前記第１のレンズ保持位置から前記第２のレンズ保持位置への移動および前記移動体の前記第２のレンズ保持位置での保持に利用されており、
前記第１の磁性片は、前記駆動マグネットの前記光軸方向における前記第１のレンズ保持位置の側の端面に対向するように配置されており、
前記第２の磁性片は、前記駆動マグネットの前記光軸方向における前記第２のレンズ保持位置の側の端面に対向するように配置されており、
前記レンズは、カメラのレンズであり、
前記第１のレンズ保持位置は、接写撮影を行う位置であり、
前記第２のレンズ保持位置は、通常撮影を行う位置であり、
前記第１のレンズ保持位置に前記レンズを保持する場合には、前記駆動コイルへの通電を停止して前記駆動マグネットと前記第１の磁性片との磁気吸着力を利用し、前記第２のレンズ保持位置に前記レンズを保持する場合には、前記駆動コイルへの通電を停止して前記駆動マグネットと前記第２の磁性片との磁気吸着力を利用することを特徴とするレンズ駆動装置。
【請求項２】
請求項１において、
前記レンズは、カメラ付き携帯電話のカメラのレンズであることを特徴とするレンズ駆動装置。
【請求項３】
請求項１または２において、
前記移動体を前記磁気駆動力により前記第１のレンズ保持位置から前記第２のレンズ保持位置に移動させたとき、前記第２のレンズ保持位置において前記移動体は前記固定体により衝撃が吸収されるようになっているとともに、前記移動体を前記磁気駆動力により前記第２のレンズ保持位置から前記第１のレンズ保持位置に移動させたとき、前記第１のレンズ保持位置において前記移動体は前記固定体により衝撃が吸収されるようになっていることを特徴とするレンズ駆動装置。
【発明の詳細な説明】
【技術分野】
【０００１】
本発明は、カメラ付き携帯電話などのカメラに用いられるレンズ駆動装置に関するものである。さらに詳しくは、レンズを光軸方向に駆動および位置保持するための技術に関するものである。
【背景技術】
【０００２】
カメラ付き携帯電話などに搭載されるカメラ装置では、通常撮影を行う位置と、接写撮影時に通常撮影時より一定の距離だけ被写体にわずかに近づけた位置の２点間でレンズを駆動するようになっている。但し、このような機器は、サイズ面などからみて、モータを備えたレンズ駆動装置を搭載することは不可能である。このため、カメラ付き携帯電話などには、レンズを直接、磁気駆動するタイプのレンズ駆動装置が搭載されている。
【０００３】
ここで、磁気駆動タイプのレンズ駆動装置としては、従来、レンズを保持する筒状のケースと、ケースの外周に取り付けたリング状の駆動マグネットと、駆動マグネットに対向する駆動コイルとを有し、駆動コイルへの通電を制御することにより、レンズを保持するケースを光軸方向に磁気駆動するとともに、そこにケースを磁気保持する構成のものがある（例えば、特許文献１参照）。
【特許文献１】特開２０００−１８７８６２号公報（第２−３頁、図１−３）
【発明の開示】
【発明が解決しようとする課題】
【０００４】
レンズを保持するケースなどの移動体を光軸方向に磁気駆動し、そこに磁気的に保持するタイプのものでは、移動体を光軸方向に移動可能に支持するバネ部材を備えているものがある。しかし、このバネ部材の付勢力を移動体にどのように作用させるかは提案されていない。
【０００５】
以上の問題点に鑑みて、本発明の課題は、移動体を光軸方向に移動可能に支持するバネ部材の付勢力を移動体の駆動および位置保持に利用できるレンズ駆動装置を提案することにある。
【課題を解決するための手段】
【０００６】
上記課題を解決するために、本発明では、レンズを備えた移動体と、該移動体を前記レンズの光軸方向に移動可能に保持する固定体とを有し、駆動マグネットと駆動コイルとの磁気駆動力により前記移動体を前記レンズの光軸方向における第１のレンズ保持位置と第２のレンズ保持位置との間で移動させるように構成したレンズ駆動装置において、前記移動体は、前記駆動マグネットを備えており、前記固定体は、前記移動体を光軸方向に移動可能に支持するバネ部材と、前記光軸方向で離間した位置に配置された第１および第２の磁性片とを備えており、前記バネ部材は、前記移動体が常に前記第１のレンズ保持位置から前記第２のレンズ保持位置へ向かうように付勢力を作用させており、前記バネ部材の付勢力は、前記移動体の前記第１のレンズ保持位置から前記第２のレンズ保持位置への移動および前記移動体の前記第２のレンズ保持位置での保持に利用されており、前記第１の磁性片は、前記駆動マグネットの前記光軸方向における前記第１のレンズ保持位置の側の端面に対向するように配置されており、前記第２の磁性片は、前記駆動マグネットの前記光軸方向における前記第２のレンズ保持位置の側の端面に対向するように配置されており、前記レンズは、カメラのレンズであり、前記第１のレンズ保持位置は、接写撮影を行う位置であり、前記第２のレンズ保持位置は、通常撮影を行う位置であり、前記第１のレンズ保持位置に前記レンズを保持する場合には、前記駆動コイルへの通電を停止して前記駆動マグネットと前記第１の磁性片との磁気吸着力を利用し、前記第２のレンズ保持位置に前記レンズを保持する場合には、前記駆動コイルへの通電を停止して前記駆動マグネットと前記第２の磁性片との磁気吸着力を利用することを特徴とする。
【０００７】
本発明によれば、バネ部材の付勢力を、第１のレンズ保持位置から第２のレンズ保持位置へのレンズの移動、および、第２のレンズ保持位置でのレンズの保持に利用できる。
【０００８】
本発明において、前記レンズは、カメラ付き携帯電話のカメラのレンズであることが好ましい。
【００１１】
本発明において、前記移動体を前記磁気駆動力により前記第１のレンズ保持位置から前記第２のレンズ保持位置に移動させたとき、前記第２のレンズ保持位置において前記移動体は前記固定体により衝撃が吸収されるようになっているとともに、前記移動体を前記磁気駆動力により前記第２のレンズ保持位置から前記第１のレンズ保持位置に移動させたとき、前記第１のレンズ保持位置において前記移動体は前記固定体により衝撃が吸収されるようになっていることが好ましい。
【発明を実施するための最良の形態】
【００１２】
図面を参照して、本発明を適用したレンズ駆動装置を説明する。
【００１３】
［全体構成］
図１（Ａ）、（Ｂ）、（Ｃ）はそれぞれ、本発明を適用したレンズ駆動装置において、レンズを第１のレンズ保持位置に保持した状態を模式的に示す縦断面図、レンズが第１のレンズ保持位置から第２のレンズ保持位置に移動している途中の状態を模式的に示す縦断面図、およびレンズを第２のレンズ保持位置に保持した状態を模式的に示す縦断面図である。図２は、図１に示すレンズ駆動装置の要部を拡大して示す斜視図である。
【００１４】
図１（Ａ）、（Ｂ）、（Ｃ）および図２に示すように、レンズ駆動装置１は、カメラ付き携帯電話などに搭載されている薄型カメラにおいてレンズ２を駆動するためのものであり、レンズ２を備えたレンズ移動体３と、この移動体３をレンズ２の光軸方向Ｆ（フォーカシング方向）の第１のレンズ保持位置Ｐ１と第２のレンズ保持位置Ｐ２との間で移動させ、これら２つのレンズ保持位置Ｐ１、Ｐ２の各々に移動体３を保持するための固定体４と、移動体３および固定体４が収納されたケース５とを有している。ケース５において、被写体側（図面に向かって上方）には開口が形成されているとともに、装置内側（図面に向かって下方）に向けて光路が確保されている。
【００１５】
レンズ移動体３は、レンズ２と、このレンズ２の外周に取り付けたリング状の駆動マグネット６とを備えている。駆動マグネット６は、レンズ２との間に環状のバックヨーク７を挟んで取り付けられ、バックヨーク７は、レンズ２の鏡筒も兼ねている。
【００１６】
固定体４は、レンズ移動体３をレンズ２の光軸方向Ｆに移動可能に弾性をもって支持する板バネやコイルバネなどのバネ部材（図示せず）と、駆動マグネット６の外周を囲む円筒状の駆動コイル８と、この駆動コイル８を囲むように断面コの字形状あるいは断面Ｃ字形状に形成されたステータヨーク１１と、第１および第２のレンズ保持位置Ｐ１、Ｐ２の各々の側において駆動マグネット６の端面６１、６２の各々に対向するように配置された第１および第２の座金９、１０とを備えている。第１および第２の座金９、１０はいずれも、強磁性体からなるリング状の磁性片であり、駆動マグネット６の端面６１、６２に対向する面の各々には、非磁性の弾性体からなるスペーサ部材１２、１３が取り付けられている。
【００１７】
ここで、各部の寸法は、例えば、
駆動マグネット６
外径３．７ｍｍ、内径３．１ｍｍ、高さ１．６ｍｍ
バックヨーク７
外径３．１ｍｍ、内径２．９ｍｍ、高さ１．６ｍｍ
駆動コイル８
外径４．５ｍｍ、内径４．１ｍｍ、高さ１．４ｍｍ
座金９、１０
外径３．９ｍｍ、内径３．１ｍｍ、高さ０．２５ｍｍ
ステータヨーク１１
外径４．７ｍｍ、内径３．９ｍｍ、高さ１．６ｍｍ、板厚１．６ｍｍ
スペーサ部材１２、１３
外径３．９ｍｍ、内径３．１ｍｍ、高さ０．１ｍｍ
に設定されている。
【００１８】
また、本形態では、駆動マグネット６として、ネオジプラスチックマグネットが用いられており、そのｂＨｃは４４８ｋＡ／ｍ以上である。一方、駆動コイル８は、１００ｍＮ以上の推力を発生するように構成されている。
【００１９】
［レンズ駆動動作］
このように構成したレンズ駆動装置１において、レンズ２に対して行われる駆動は以下の通りである。
【００２０】
まず、図１（Ａ）に示す状態では、レンズ２（移動体３）は第１のレンズ保持位置Ｐ１にあり、この状態では駆動コイル８への通電は停止されている。但し、駆動マグネット６と第１の座金９とがスペーサ部材１２を介して磁気吸着しているので、移動体３は、第１のレンズ保持位置Ｐ１に保持されている。従って、カメラ付き携帯電話において接写撮影を行うことができる。
【００２１】
この状態から、レンズ２（移動体３）を第２のレンズ保持位置Ｐ２に移動させる際には、駆動コイル８への通電が行われる。その結果、図１（Ｂ）に示すように、駆動コイル８と駆動マグネット６とによって発生する磁気力によって、駆動マグネット６が第１の座金９から引き離され、移動体３は、図１（Ｃ）に示すように、第２のレンズ保持位置Ｐ２に移動する。その結果、駆動マグネット６と第２の座金１０とがスペーサ部材１３を介して磁気吸着する状態となる。この際、駆動マグネット６は、スペーサ部材１３に突き当たるため、衝撃が吸収される。
【００２２】
ここで、駆動マグネット６と第２の座金１０とがスペーサ部材１３を介して磁気吸着する状態では、駆動コイル８への通電を停止しても、移動体３は、第２のレンズ保持位置Ｐ２に保持されることになる。従ってカメラ付き携帯電話において通常撮影を行うことができる。
【００２３】
なお、レンズ２（移動体３）を第２のレンズ保持位置Ｐ２から第１のレンズ保持位置Ｐ１に移動する動作については、上記の動作と原理的には同じであるため、説明を省略する。
【００２４】
このように本形態では、レンズ２を第１のレンズ保持位置Ｐ１と第２のレンズ保持位置Ｐ２との間で移動させるときには、駆動コイル８に通電して移動体３を磁気駆動するが、第１のレンズ保持位置Ｐ１および第２のレンズ保持位置Ｐ２にレンズ２を保持する場合には、駆動コイル８への通電を停止して駆動マグネット６と磁性片９、１０との磁気吸着力を利用する。従って、レンズ２を第１のレンズ保持位置Ｐ１あるいは第２のレンズ保持位置Ｐ２に保持している間、駆動コイル８への通電が必要ないので、消費電力を低く抑えることができる。
【００２５】
ここで、固定体４は、図示を省略してあるが、移動体３を光軸方向Ｆに移動可能に支持するバネ部材を備えているため、このバネ部材の付勢力を移動体３（レンズ２）の駆動および位置保持に利用できる。
【００２６】
すなわち、バネ部材の付勢力が常に移動体３を第１のレンズ保持位置Ｐ１から第２のレンズ保持位置Ｐ２に向かうように作用している場合には、バネ部材の付勢力を第１のレンズ保持位置Ｐ１から第２のレンズ保持位置Ｐ２へのレンズ２の移動、第２のレンズ保持位置Ｐ２でのレンズ２の保持に利用できる。
【００２８】
（本形態による効果）
以上説明したように、本発明のレンズ駆動装置では、レンズを備えた移動体を第１のレンズ保持位置と第２のレンズ保持位置との間で移動させるときには、駆動コイルに通電して移動体を磁気駆動するが、第１のレンズ保持位置にレンズを保持する場合には、駆動コイルへの通電を停止して駆動マグネットと第１の磁性片との磁気吸着力を利用する。従って、レンズを第１のレンズ保持位置に保持している間、駆動コイルへの通電が必要ないので、消費電力を低く抑えることができる。また、第２のレンズ保持位置にレンズを保持する場合にも、駆動コイルへの通電を停止して駆動マグネットと第２の磁性片との磁気吸着力を利用することができる。従って、レンズを第２のレンズ保持位置に保持している間も駆動コイルへの通電が必要ないので、消費電力を低く抑えることができる。
【図面の簡単な説明】
【００２９】
【図１】（Ａ）、（Ｂ）、（Ｃ）はそれぞれ、本発明を適用したレンズ駆動装置において、レンズを第１のレンズ保持位置に保持した状態を模式的に示す縦断面図、レンズが第１のレンズ保持位置から第２のレンズ保持位置に移動している途中の状態を模式的に示す縦断面図、およびレンズを第２のレンズ保持位置に保持した状態を模式的に示す縦断面図である。
【図２】図１に示したレンズ駆動装置の要部を拡大して示す斜視図である。
【符号の説明】
【００３０】
１  レンズ駆動装置
２  レンズ
３  移動体
４  固定体
５  ケース
６  駆動マグネット
７  バックヨーク
８  駆動コイル
９、１０  座金
１１  ステータヨーク
１２、１３  スペーサ部材
【図１】
0004994342.tif 000002
【図２】
0004994342.tif 000003